(57)【要約】【課題】底板の強度を高め、かつ軽量化を図った木製プランターを提供すること。【解決手段】木製板体によって側壁１を形成するとともに、該側壁１の内周面下部に溝４を形成し、該溝４に、周縁にリブ８を有し、且つ下面に複数個のボス９を形成し、該ボス９の下端面を前記側壁１の下端面と一致させた合成樹脂製板体の周縁を嵌合させて底板５を形成したことを特徴としている。【選択図】        図３
2004166662.tif 000002
【特許請求の範囲】
【請求項１】
木製板体によって側壁を形成するとともに、該側壁の内周面下部に溝を形成し、該溝に合成樹脂製板体の周縁を嵌合させて底板を形成したことを特徴とする木製プランター。
【請求項２】
前記合成樹脂製板体の周縁にリブを形成したことを特徴とする請求項１に記載の木製プランター。
【請求項３】
前記底板の下面に複数個のボスを形成し、該ボスの下端面を前記側壁の下端面と一致させたことを特徴とする請求項１または２に記載の木製プランター。
【請求項４】
前記側壁に根太を差し渡し、該根太によって前記底板の中間部を支持したことを特徴とする請求項１、２または３に記載の木製プランター。
【発明の詳細な説明】
【０００１】
【発明の属する技術分野】
本発明は、木製プランターに関するものである。
【０００２】
【従来の技術】
木製プランターは、桶状を成すもので、例えば、短冊状木製側壁片の内面下部に溝を形成し、該溝を円形の底板の周縁に嵌合させて側壁片の側端を環状に連接させ、それらの側壁片の外面にバンド（たが）を嵌着させて形成される（例えば、特許文献１）。
【０００３】
【特許文献１】
実用新案登録第３０８１７３９号公報（図７）
【０００４】
【発明が解決しようとする課題】
ところで、プランターの底板は、常に水分に浸された状態にあるが、木製プランターは、底板に木製の板体が使用されていたため、長期使用すると、底板が腐り、底が抜けてしまう虞がある。
また、プランターの底板には、土壌の全重量がかかるため、十分な強度を確保する必要があるが、木材は脆いため、相当の厚みを持たせる必要があり、プランターの重量が嵩む虞がある。
【０００５】
そこで、本発明の目的は、底板の強度を高め、かつ軽量化を図った木製プランターを提供することにある。
【０００６】
【課題を解決するための手段】
本発明の木製プランターでは、木製板体によって側壁を形成するとともに、該側壁の内周面下部に溝を形成し、該溝に合成樹脂製板体の周縁を嵌合させて底板を形成したことを特徴としている。
この発明による木製プランターによれば、底板が合成樹脂によって形成されているので、底板が腐食し難く、したがって耐久性が高く、また軽量化が図れる。
【０００７】
また、この発明の木製プランターでは、上記発明において、前記合成樹脂製板体の周縁にリブを形成したことを特徴としている。
この発明による木製プランターによれば、底板の周縁の強度が高まるので、底板の支持強度をさらに高くすることができる。
【０００８】
また、この発明の木製プランターでは、上記発明において、前記底板の下面に複数個のボスを形成し、該ボスの下端面を前記側壁の下端面と一致させたことを特徴としている。
この発明による木製プランターによれば、底板の中間部にかかる負荷をボスによって支えるので、底板の厚みをさらに薄くすることができる。
【０００９】
また、この発明の木製プランターでは、上記発明において、前記側壁に根太を差し渡し、該根太によって前記底板の中間部を支持したことを特徴としている。この発明による木製プランターによれば、例えば平面視が楕円，矩形等の細長い形状のプランターにおける底板の強度を確保することができる。
【００１０】
【発明の実施の形態】
以下に、本発明を図面に示した一実施の形態に基づいて説明する。
図１は本発明に係る木製プランターを示した斜視図，図２はそのプランターの平面図，図３（ａ）はそのプランターの縦断面図，図３（ｂ）は図３（ａ）におけるＡ部の拡大図である。
【００１１】
この木製プランターは、図１に示したように、桶状を成すものである。このプランターでは、側壁１を構成する短冊状木製側壁片２の側端を凸条３ａおよび凹条３ｂに形成し、内面下部に溝４を形成している。
【００１２】
そして、図３に示したように、この側壁片２の溝４を円形の底板５の周縁に嵌合させるとともに、図２に示したように、側壁片２の凸条３ａを隣の側壁片２の凹条３ｂに嵌合させて側壁１を構成し、それらの側壁１の外周面にバンド（たが）６を嵌着させている。
【００１３】
また、このプランターでは、上部に位置するバンド６の相対向する部分に把手７、７がヒンジ等によって回動自在に配設されている。
【００１４】
このプランターでは、底板５が合成樹脂によって形成されている。この底板５には、図３に示したように、周縁にリブ８が形成され、中間部に下方に突出する複数個（実施の形態では４個）のボス９が形成されている。
【００１５】
そして、それらのボス９は、底板５の下面において、図２に点線で示したように、リブ１０によって互いに連結されている。また、底板５には、適宜な箇所に、適宜な大きさおよび形状の水抜き孔１１が形成されている。
【００１６】
このように構成されたプランターでは、側壁１と底板５とによって画成された空間に土壌が充填される。そして、このプランターを他の場所に移動させる場合には、把手７，７を上方に回動させ、その把手７，７をもって移動させる。
【００１７】
なお、上記実施の形態では、平面視で円形のプランターを示したが、本発明は、図４に示した略楕円形状のタンブラーにも適用でき、また図５に示した矩形のタンブラーにも適用ができることは言うまでもない。
【００１８】
このような細長い形状のプランターの場合には、側壁１の相対向する部分に根太１２を差し渡し、その根太１２によって底板５の中間部を支持するようにすることが好ましい。
【００１９】
【発明の効果】
以上説明したように、本発明の木製プランターによれば、底板が合成樹脂によって形成されている（請求項１）ので、底板が腐食し難く、したがって耐久性が高く、また軽量化が図れる。
【００２０】
また、この発明の木製プランターでは、合成樹脂製板体の周縁にリブが形成されている（請求項２）ので、底板の周縁の強度が高まり、底板の支持強度をさらに高くすることができる。
【００２１】
また、この発明の木製プランターでは、底板の下面に複数個のボスが形成され、底板の中間部にかかる負荷をボスによって支える（請求項３）ので、底板の厚みをさらに薄くすることができる。
【００２２】
また、この発明の木製プランターでは、側壁に根太を差し渡し、該根太によって前記底板の中間部を支持している（請求項４）ので、平面視が楕円，矩形等の細長い形状のプランターにおける底板の強度を確保することができる。
【図面の簡単な説明】
【図１】本発明に係る木製プランターの一実施の形態を示した斜視図である。
【図２】図１に示したプランターの平面図である。
【図３】図１に示したプランターの縦断面図であり、図３は全体の断面を示し、図３（ｂ）は図３（ａ）におけるＡ部の拡大図である。
【図４】本発明に係る木製プランターの他の実施の形態を示した平面図である。
【図５】本発明に係る木製プランターのさらに他の実施の形態を示した底面図である。
【符号の説明】
１      側壁
２      側壁片
３ａ      凸条
３ｂ      凹条
４      溝
５      底板
６      バンド
７      把手
８      リブ
９      ボス
１０      リブ
１１      水抜き孔
１２      根太
【図１】
2004166662.tif 000003
【図２】
2004166662.tif 000004
【図３】
2004166662.tif 000005
【図４】
2004166662.tif 000006
【図５】
2004166662.tif 000007